(57)【要約】【課題】機械室無しエレベーターにおいてピットに配置したオイルパンを容易に取り出すことができるエレベーター昇降路のピット装置を得る。【解決手段】緩衝器台３から立設した案内レール５の下端面に対面して油受け板６を配置し、案内レール５を流下する潤滑油を所定位置へ排出する。そして、保守作業用の長い取っ手８を設けた取っ手付き台７にオイルパン９を載置して、油受け板６の潤滑油排出位置に配置する。これにより、保守作業時に作業員が作業用スペースから手を伸ばして、取っ手８を掴んでオイルパン９を作業がし易い位置へ引き出し溜まった潤滑油を廃棄できる。このため、ピット１に巻上機２等が設置された機械室無しエレベーターにおいて、オイルパン９を容易に取り出すことができ保守作業能率を向上する。【選択図】        図１
2004210536.tif 000002
【特許請求の範囲】
【請求項１】
エレベーターの昇降路のピットに設けられた巻上機と、上記ピットに設置された緩衝器台と、この緩衝器台に立設された緩衝器と、上記緩衝器台の長手端部から立設され上記エレベーターの昇降体の昇降を案内する案内レールと、排油口が設けられて上記案内レールの下端面に対面して設置されて上記案内レールを流下する潤滑油を所定位置へ排出する油受け板と、この油受け板の排油口に対応した位置に配置され排出された上記潤滑油を溜めるオイルパンと、保守作業用の長い取っ手が設けられ上記昇降路の底面に移動可能に配置されて、上記オイルパンが載置された取っ手付き台とを備えたエレベーターの緩衝器台装置。
【請求項２】
エレベーターの昇降路のピットに設けられた巻上機と、上記ピットに設置された緩衝器台と、この緩衝器台に立設された緩衝器と、上記緩衝器台の長手端部から立設され上記エレベーターの昇降体の昇降を案内する案内レールと、排油口が設けられて上記案内レールの下端面に対面して設置されて上記案内レールを流下する潤滑油を所定位置へ排出する油受け板と、保守作業用の長い取っ手が設けられて上記油受け板の排油口に対応した位置に移動可能に配置され排出された上記潤滑油を溜めるオイルパンとを備えたエレベーターの緩衝器台装置。
【発明の詳細な説明】
【０００１】
【発明の属する技術分野】
この発明は、昇降路内下部に巻上機が設置されたエレベーター昇降路のピット装置に関する。
【０００２】
【従来の技術】
従来のエレベーター昇降路のピット装置においては、ピット底面に緩衝器台が設置されて緩衝器台に緩衝器が立設され、またエレベーターの昇降体の昇降を案内する案内レールが緩衝器台の長手端部から立設される。また、排油口が設けられた油受け板が案内レールの下端面に対面して設置されて案内レールを流下する潤滑油を所定位置へ排出し、油受け板の排油口に対応してオイルパンが配置されて排出された潤滑油を溜める。
【０００３】
従来のエレベーター昇降路のピット装置は上記のように構成され、案内レールに潤滑油が供給されて昇降体の昇降動作を潤滑し、この潤滑油が案内レールを伝って流下して油受け板を経てオイルパンに一時的に貯留される。そして、エレベーターの保守作業時にオイルパンを取り出して溜まった潤滑油を廃棄するようになっている。（例えば、特許文献１参照）。
【０００４】
【特許文献  １】
実開昭５９−２２２７４号公報（第１頁、第１図）
【０００５】
【発明が解決しようとする課題】
そして、巻上機が昇降路のピットに設置される所謂、機械室無しエレベーターの場合には狭隘なピット内に巻上機、制御盤等が設置される。このため、従来のエレベーター昇降路のピット装置において、保守作業時に巻上機等が邪魔となって作業員の手がオイルパンに届きにくく、オイルパンが取り出しのために煩雑な作業を要し保守作業能率が低くなるという問題点があった。
【０００６】
この発明は、かかる問題点を解消するためになされたものであり、機械室無しエレベーターにおいてピットに配置されたオイルパンを容易に取り出すことができるエレベーター昇降路のピット装置を得ることを目的とする。
【０００７】
【課題を解決するための手段】
この発明に係るエレベーター昇降路のピット装置においては、エレベーターの昇降路のピットに設けられた巻上機と、ピットに設置された緩衝器台と、この緩衝器台に立設された緩衝器と、緩衝器台の長手端部から立設されてエレベーターの昇降体の昇降を案内する案内レールと、排油口が設けられて案内レールの下端面に対面して設置されて案内レールを流下する潤滑油を所定位置へ排出する油受け板と、この油受け板の排油口に対応した位置に配置され排出された潤滑油を溜めるオイルパンと、保守作業用の長い取っ手が設けられ昇降路の底面に移動可能に配置されて、オイルパンが載置された取っ手付き台とが設けられる。
【０００８】
【発明の実施の形態】
実施の形態１．
図１は、この発明の実施の形態の一例を示す図で、エレベーター昇降路のピットを概念的に示す斜視図である。図において、エレベーター昇降路のピット１内に巻上機２が設けられ、またピット１の底面に緩衝器台３が設置される。そして、緩衝器台３に緩衝器４が立設され、また緩衝器台３の長手端部から案内レール５が立設されてエレベーターのかご等の昇降体（図示しない）の昇降を案内する。また、排油口が設けられた油受け板６が案内レール５の下端面に対面して配置される。
【０００９】
そして、油受け板６の排油口の直下に取っ手付き台７が配置され、取っ手付き台７には水平方向の一側に延長された保守作業用の長い取っ手８が設けられている。そして、取っ手付き台７にオイルパン９が載置されて油受け板６の排油口に対向する位置に配置される。なお、オイルパン９は図示が省略してあるが取っ手付き台７に取付ねじによって締結されたり、取っ手付き台７に設けられた枠状凹所に嵌合されたりして取っ手付き台７に保持される。
【００１０】
上記のように構成されたエレベーター昇降路のピット装置において、保守作業時に作業員が作業用スペースから手を伸ばして、取っ手付き台７の取っ手８を掴んでオイルパン９が載置された取っ手付き台７を作業がし易い位置に引き出す。
そして、取っ手付き台７上のオイルパン９を外して溜まった潤滑油を廃棄する。
これによって、ピット１に巻上機２等が設置された機械室無しエレベーターにおいて、オイルパン９を容易に取り出すことができ保守作業能率を向上することができる。
【００１１】
実施の形態２．
図２は、この発明の他の実施の形態の一例を示す図で、前述の図１相当図である。図において、図１と同符号は相当部分を示し、油受け板６の排油口の直下に取っ手付き台１０が配置され、取っ手付き台１０には上方に延長された保守作業用の長い取っ手１１が設けられている。そして、取っ手付き台１０にオイルパン９が載置されて油受け板６の排油口に対向する位置に配置される。
【００１２】
上記のように構成されたエレベーター昇降路のピット装置においても、保守作業時に作業員は作業用スペースから手を伸ばして、取っ手付き台１０の取っ手１１を掴んで、オイルパン９が載置された取っ手付き台１０を作業がし易い位置に引き出すことができる。したがって、詳細な説明を省略するが図２の実施の形態においても図１の実施の形態と同様な作用が得られる。
【００１３】
実施の形態３．
図３も、この発明の他の実施の形態の一例を示す図で、オイルパンの斜視図である。なお、図３の他は前述の図１と同様にエレベーター昇降路のピット装置が構成されている。図において、オイルパン９に保守作業用の長い取っ手１２が直接に設けられて、水平方向の一側に延長されている。そして、オイルパン９が油受け板６の排油口に対向する位置に配置される。
【００１４】
上記のように構成されたエレベーター昇降路のピット装置においても、保守作業時に作業員は作業用スペースから手を伸ばして、取っ手１２を掴んでオイルパン９を作業がし易い位置に引き出すことができる。したがって、詳細な説明を省略するが図３の実施の形態においても図１の実施の形態と同様な作用が得ることができる。
【００１５】
【発明の効果】
この発明は以上説明したように、エレベーターの昇降路のピットに設けられた巻上機と、ピットに設置された緩衝器台と、この緩衝器台に立設された緩衝器と、緩衝器台の長手端部から立設されてエレベーターの昇降体の昇降を案内する案内レールと、排油口が設けられて案内レールの下端面に対面して設置されて案内レールを流下する潤滑油を所定位置へ排出する油受け板と、この油受け板の排油口に対応した位置に配置され排出された潤滑油を溜めるオイルパンと、保守作業用の長い取っ手が設けられ昇降路の底面に移動可能に配置されて、オイルパンが載置された取っ手付き台とを設けたものである。
【００１６】
これによって、保守作業時に作業員が作業用スペースから手を伸ばして、取っ手付き台の取っ手を掴んでオイルパンが載置された取っ手付き台を作業がし易い位置に引き出し、取っ手付き台上のオイルパンを外して溜まった潤滑油を廃棄することができる。これによって、ピットに巻上機等が設置された機械室無しエレベーターにおいて、オイルパンを容易に取り出すことができ保守作業能率を向上する効果がある。
【図面の簡単な説明】
【図１】この発明の実施の形態１を示す図で、エレベーター昇降路におけるピットを概念的に示す斜視図。
【図２】この発明の実施の形態２を示す図で、前述の図１相当図。
【図３】この発明の実施の形態３を示す図で、オイルパンの斜視図。
【符号の説明】
１  ピット、２  巻上機、３  緩衝器台、４  緩衝器、５  案内レール、６
油受け板、７  取っ手付き台、８  取っ手、９  オイルパン、１０  取っ手付き台、１１  取っ手、１２  取っ手。
【図１】
2004210536.tif 000003
【図２】
2004210536.tif 000004
【図３】
2004210536.tif 000005